(57)【特許請求の範囲】
【請求項１】
一対の側板を階段状に形成するとともに、脚部ささえ棒を介して互いに離間させて配置し、各段に棚板を支持して複数の飾り段を構成し、この各飾り段上に、ひな人形、五月人形等の装飾品を階段状に飾りつけるための段飾り台において、
前記一対の側板は、少なくとも１段の飾り段を有する側板片に分割し、
この各側板片の中で最下段の飾り段を構成する最下段用の棚板を支持する脚部兼用の側板片とし、最上段の飾り段を構成する最上段用の棚板を支持する最上段用の側板片とし、残りの側板片を前記最上段の飾り段と最下段の飾り段との間の中間段の飾り段をそれぞれ構成する中間段用の棚板を支持する中間段用の側板片とし、
前記脚部兼用の側板片と中間段用の側板片と最上段用の側板片とを垂直方向に順次互いに連結する機構を設けるとともに、前記各棚板の両端部裏面と前記側板片の棚板支持部とには、この棚板支持部に載置されたそれぞれ対応する棚板を支持する機構を設け、
前記脚部兼用の側板片と前記脚部ささえ棒とには、前記脚部兼用の側板片を互いに離間した状態に固定する機構を設け、
前記最下段と前記最上段の両方の飾り段、あるいは、前記最下段あるいは前記最上段のいずれか一方の飾り段は、前記最下段用あるいは最上段用の棚板の奥行き幅を、前記装飾品を複数列に飾り付けできるように、前記中間段用の棚板の奥行き幅より広く形成し、
前記最下段と前記最上段の飾り段を構成する両方の前記棚板上に、あるいは、前記最下段あるいは前記最上段の飾り段を構成するいずれか一方の前記棚板上に、この最下段あるいは最上段の飾り段の後半分に相当する形状を有する第３の棚板を積層し、
前記各側板片を垂直方向に連結する機構と、前記棚板を支持する機構と、前記側板片と前記ささえ棒とを固定する機構とは、取付金具を用いることなくいずれも段飾り台を構成する互いに係合する部品にそれぞれ設けた組み立て機構により組み立てること
を特徴とする段飾り台。
【請求項２】
少なくとも前記最下段及び最上段の飾り段を構成する複数の棚板は、互いに水平方向の嵌め込みによる凹凸機構により連結したこと
を特徴とする請求項１に記載の段飾り台。
【請求項３】
前記脚部ささえ棒を介して一対の前記脚部兼用の側板片を互いに離間した状態に固定する機構は、この脚部兼用の側板片の水平方向下端に、脚部ささえ棒の両端部が嵌入する凹型の切欠部を設けるとともに、前記脚部ささえ棒両端部に、前記凹型の切欠部と噛み合う凹溝を設けたこと
を特徴とする請求項１〜請求項２にそれぞれ記載の段飾り台。
【請求項４】
前記脚部兼用の側板片と中間段用の各側板片と最上段用の側板片とを垂直方向に順次互いに連結する機構は、下方に位置する側板片の上端に、上方に位置する側板片下端の厚さに相当する間隙を介して互いに対向させて一対の連結片を固定してなる連結体を少なくとも１カ所設け、この連結体の前記間隙に上方に位置する側板片の下端を嵌入させて上下の側板片を互いに連結したこと
を特徴とする請求項１〜請求項３にそれぞれ記載の段飾り台。
【請求項５】
それぞれ棚板支持部に載置した棚板を支持する機構は、前記側板片の前記棚板支持部に対応する箇所の側板片上端が嵌入する凹溝を棚板の両端部裏面に設けたこと
を特徴とする請求項１〜請求項４にそれぞれ記載の段飾り台。
【請求項６】
前記側板片に設けたそれぞれ対応する棚板を支持する機構は、前記最下段を構成する側板片を除く各前記側板片に、少なくとも１箇所のＬ型の切り込みを形成して棚板支持部としたこと
を特徴とする請求項１〜請求項５にそれぞれ記載の段飾り台。
【請求項７】
前記最下段を構成する側板片に、少なくとも１箇所のＬ型の切り込みを形成して棚板支持部とし、棚板の両端部裏面には、前記棚板支持部の側板片上端が嵌入する凹溝を設けたこと
を特徴とする請求項１〜請求項５にそれぞれ記載の段飾り台。
【請求項８】
前記段飾り台を毛氈で覆うとともに、この毛氈の裏面には、滑り止め用のゴム引き加工したこと
を特徴とする請求項１〜請求項７にそれぞれ記載の段飾り台。
【発明の詳細な説明】
【０００１】
【発明の属する技術分野】
この発明は、人形、ひな人形、五月人形等の装飾品を階段状に飾りつけるための段飾り台に関するものである。
【０００２】
【従来の技術】
従来、ひな人形を飾るためのひな段には、平飾りひな段、二段飾りひな段、三段飾りひな段、五段飾りひな段、七段飾りひな段等がある。いずれも、ひな段の段数により飾ることの出来るひな人形の数、形態、お道具の数等が決まる。
【０００３】
例えば、一般的に、七段飾りひな段（図示せず）の場合には、最上段に内裏様のひな人形、二段目にはくわえの銚子、三宝、長柄銚子からなる三人官女のひな人形、三段目には太鼓、大鼓、小鼓、笛、詠（扇）からなる五人囃子のひな人形、四段目には両側に右大臣のひな人形と左大臣のひな人形とが並び、その間にお道具として菱台や御膳が飾り付けられる。さらに、五段目には、両側に桜及び橘の花を飾りつけ、その間に、ひな人形として台傘、沓台、立傘からなる三人の仕丁が並び、六段目には、箪笥、鋏箱、長持、鏡台、針箱、火鉢、茶道具等のお道具が飾り付けられ、最下段には、お駕籠、重箱、御所車等のお道具が飾り付けられる。
【０００４】
又、五段飾りひな段（図示せず）の場合には、最上段に内裏様、二段目に三人官女、三段目に五人囃子、四段目にお道具として、例えば、両側に右大臣と左大臣とを飾り付け、その間にお道具として菱台や御膳等が飾り付けられる。そして、最下段には、両側に桜の花と橘の花とを飾り付けるとともに、その間にひな人形として三人の仕丁が飾り付けられる。あるいは、三人の仕丁を飾らない場合には、最下段には、お駕籠や御所車、重箱等が飾り付けられる。
【０００５】
さらに、三段飾りひな段（図示せず）の場合には、最上段に内裏様、二段目に三人官女、三段目に五人囃子がそれぞれ飾り付けられる。あるいは、最上段に内裏様、二段目に三人官女が飾り付けられ、最下段には、お駕籠や御所車、重箱等が飾り付けられる。
【０００６】
【発明が解決しようとする課題】
ひな人形の所有者や購買者にとって、七段飾りひな段の場合には、多くのひな人形やお道具を飾り付けることができ、その豪華さを十分満足することが出来る。しかしながら、七段飾りひな段は、それだけ全体的に大型になり、非常に広いスペースが必要である。日本の住宅事情を考慮すると、それだけのスペースがとれない場合がある。そこで、あまりスペースを取らない三段飾りひな段や五段飾りひな段が購入されている。
【０００７】
しかしながら、三段飾りひな段、五段飾りひな段は上記のように飾り付けられるので、正式の七段飾りひな段に比べて飾ることの出来るひな人形、お道具の種類が極端に少なくなるという問題がある。
【０００８】
五段飾りひな段の場合には、それでも上記のように、ひな人形やお道具を十分に飾るだけの段数があるが、特に、三段飾りひな段の場合には、七段飾りひな段に比べて極端に段数が少なくなる。従って、内裏様、三人官女、五人囃子、左大臣、右大臣、仕丁などのひな人形を主体に飾りつけると、お道具を飾る段がなくなり、反対に、お道具を主体に飾ると各種のひな人形を十分飾る段が足りなくなり、豪華さに欠けるという問題がある。
【０００９】
一方、ひな人形の所有者、購買者からは、あまり部屋のスペースを取らずに出来るだけ七段飾りひな段のように多くのひな人形やお道具を飾り付け、豪華さを出したいとの要望が多かった。又、一般に、ひな人形に限らず、五月人形や日本人形、その他の装飾品を豪華に数多く飾ることの出来る飾り台が求められていた。
【００１０】
【課題を解決するための手段】
請求項１に関わる発明は、一対の側板を階段状に形成するとともに、脚部ささえ棒を介して互いに離間させて配置し、各段に棚板を支持して複数の飾り段を構成し、この各飾り段上に、ひな人形、五月人形等の装飾品を階段状に飾りつけるための段飾り台において、  一対の側板は、少なくとも１段の飾り段を有する側板片に分割し、この各側板片の中で最下段の飾り段を構成する最下段用の棚板を支持する脚部兼用の側板片とし、最上段の飾り段を構成する最上段用の棚板を支持する最上段用の側板片とし、残りの側板片を前記最上段の飾り段と最下段の飾り段との間の中間段の飾り段をそれぞれ構成する中間段用の棚板を支持する中間段用の側板片とし、脚部兼用の側板片と中間段用の側板片と最上段用の側板片とを垂直方向に順次互いに連結する機構を設けるとともに、各棚板の両端部裏面と側板片の棚板支持部とには、この棚板支持部に載置されたそれぞれ対応する棚板を支持する機構を設け、脚部兼用の側板片と脚部ささえ棒とには、脚部兼用の側板片を互いに離間した状態に固定する機構を設け、最下段と最上段の両方の飾り段、あるいは、最下段あるいは最上段のいずれか一方の飾り段は、最下段用あるいは最上段用の棚板の奥行き幅を、装飾品を複数列に飾り付けできるように、中間段用の棚板の奥行き幅より広く形成し、最下段と最上段の飾り段を構成する両方の棚板上に、あるいは、最下段あるいは最上段の飾り段を構成するいずれか一方の棚板上に、この最下段あるいは最上段の飾り段の後半分に相当する形状を有する第３の棚板を積層し、各側板片を垂直方向に連結する機構と、棚板を支持する機構と、側板片とささえ棒とを固定する機構とは、取付金具を用いることなくいずれも段飾り台を構成する互いに係合する部品にそれぞれ設けた組み立て機構により組み立てるようにしたものである。
【００１１】
請求項２に係る発明は、請求項１に記載の段飾り台において、少なくとも最下段及び最上段の飾り段を構成する複数の棚板は、互いに水平方向の嵌め込みによる凹凸機構により連結したものである。
【００１２】
請求項３に係る発明は、請求項１〜請求項２にそれぞれ記載の段飾り台において、脚部ささえ棒を介して一対の脚部兼用の側板片を互いに離間した状態に固定する機構は、この脚部兼用の側板片の水平方向下端に、脚部ささえ棒の両端部が嵌入する凹型の切欠部を設けるとともに、脚部ささえ棒両端部に、凹型の切欠部と噛み合う凹溝を設けたものである。
【００１３】
請求項４に係る発明は、請求項１〜請求項３に記載の段飾り台において、脚部兼用の側板片と中間段用の各側板片と最上段用の側板片とを垂直方向に順次互いに連結する機構は、下方に位置する側板片の上端に、上方に位置する側板片下端の厚さに相当する間隙を介して互いに対向させて一対の連結片を固定してなる連結体を少なくとも１カ所設け、この連結体の間隙に上方に位置する側板片の下端を嵌入させて上下の側板片を互いに連結したものである。
【００１４】
請求項５に係る発明は、請求項１〜請求項４にそれぞれ記載の段飾り台において、それぞれ棚板支持部に載置した棚板を支持する機構は、側板片の棚板支持部に対応する箇所の側板片上端が嵌入する凹溝を棚板の両端部裏面に設けたものである。
【００１５】
請求項６に係る発明は、請求項１〜請求項５にそれぞれ記載の段飾り台において、側板片に設けたそれぞれ対応する棚板を支持する機構は、最下段を構成する側板片を除く各側板片に、少なくとも１箇所のＬ型の切り込みを形成して棚板支持部としたものである。
【００１６】
請求項７に係る発明は、請求項１〜請求項５にそれぞれ記載の段飾り台において、最下段を構成する側板片に、少なくとも１箇所のＬ型の切り込みを形成して棚板支持部とし、棚板の両端部裏面には、棚板支持部の側板片上端が嵌入する凹溝を設けたものである。
【００１７】
請求項８に係る発明は、請求項１〜請求項７にそれぞれ記載の段飾り台において、段飾り台を毛氈で覆うとともに、この毛氈の裏面には、滑り止め用のゴム引き加工したものである。
【００１９】
【実施例１】
この発明の第１の実施例を、段飾り台２１として、ひな人形用の三段の段飾り台を例にとり、図１〜図８に基づいて詳細に説明する。
図１は、この発明の第１の実施例を示すもので、三段の段飾り台２１の要部斜視図、図２は図１の要部展開斜視図、図３〜図７は、段飾り台２１を構成する各部品の正面図、図３は最下段を構成する側板片２２の平面図、図４は中間段を構成する側板片２３の正面図、図５は最下段及び最上段の棚板３１、３３の平面図、図６は中間段の棚板３２の平面図、図７は脚部ささえ棒２４の正面図、図８は三段の段飾り台２１にひな人形やお道具等を飾り付けた状態を示す要部斜視図である。
【００２０】
図１〜図８において、この実施例の場合には、三段の段飾り台２１を構成する各部品は、最下段を構成する一対の側板片２２、中間段（最上段も兼用している）を構成する一対の側板片２３、最下段、中間段、最上段の各飾り段を構成するそれぞれ大小中の大きさの棚板３１、３２、３３、脚部ささえ棒２４とにより構成されており、すべての部品は桐で形成されている。なお、図面上では、中間段の棚板３２は、図５において点線で記載されている。
【００２１】
図３に示す最下段を構成する一対の側板片２２は、この段飾り台２１の脚部も兼用しており、この側板片２２の水平方向両端部下端には、脚部ささえ棒２４が嵌入する凹型の切欠部２５が設けられている。一方、図７に示すように、一対の脚部ささえ棒２４の両端部には、それぞれ凹型の切欠部２５と噛み合う凹溝２６が設けられている。従って、図２に示すように、切欠部２５に脚部ささえ棒２４を嵌め込むと、凹溝２６と切欠部２５とが噛み合い、一対の脚部兼用の側板片２２は、脚部ささえ棒２４を介して互いに離間した状態で固定される。
【００２２】
さらに、側板片２２の上端には、上方に位置する中間段を構成する側板片２３の下端の厚さに相当する間隙２７を介して互いに対向する一対の連結片２８が固定されて連結体２９が構成されている。この実施例の場合には、最下段の側板片２２には、最下段の飾り段を構成する棚板支持部２２ａを除いた側板片２２の両端部に２カ所設けられている。なお、この実施例では、２カ所に設けられているが、３カ所でも良い。又、強度が保たれるならば、１カ所でも良い。間隙２７には、上方に位置する側板片２３の下端を嵌入させて上方及び下方の側板片２２、２３を連結するように構成されている。
【００２３】
側板片２３は、この実施例では中間段と最上段の飾り段を構成しており、図４に示すように、側板片２３にＬ型の切り込みを形成して中間段の棚板支持部２３ａとして、中間段の飾り段が構成されている。さらに、この実施例の場合には、側板片２３の最上段の棚板支持部２３ｂは、最上段の棚板３３が２枚載置可能な長さに形成されて、最上段の飾り段の奥行き幅が、中間段の飾り段の奥行き幅より広くなるように構成されている。
【００２４】
従って、最上段の飾り段は、棚板３３と第２の棚板３３ａとを水平方向の互いに嵌め込みによる凹凸機構により連結された状態で載置されている。従って、最上段の飾り段の奥行き幅は、お道具とひな人形とを並行に二列に飾り付けできるように、中間段（二段目）の奥行き幅より略２倍の広さに形成されている。なお、この実施例では、最下段の側板片２２には、Ｌ型の切り込みは形成されていないが、この最下段の側晩片２２にも同様に形成して棚板支持部を設けてもよい。
【００２５】
一方、それぞれ飾り段を構成する最下段の棚板３１、中間段の棚板３２、最上段の棚板３３の両端部裏面には、それぞれ側板片２２、２３の棚板支持部２２ａ、２３ａ、２３ｂの上端が嵌入する凹溝３４が設けられている。従って、各側板片２２、２３には、棚板支持部２２ａ、２３ａ、２３ｂと、この棚板支持部２２ａ、２３ａ、２３ｂの上端が嵌入する凹溝３４とにより、それぞれ対応する棚板３１、３２、３３を支持する機構が構成されている。
【００２６】
図９において、３８は組み立てられた段飾り台２１の上面全体を覆う毛氈で、裏面には滑り止め用の部材３９が取り付けられている。この実施例の場合には、ゴム引き加工が施されているので、従来のように、この毛氈３８を毛氈止めにより段飾り台２１に固定する必要はない。
【００２７】
次に組み立て方法について説明する。
まず、図２に示すように、脚部ささえ棒２４の両端の凹溝２６と脚部兼用の側板片２２の切欠部２５とを位置合わせして、互いに嵌め込み、脚部兼用の最下段を組み立てる。次いで、連結体２９の間隙２７に、中間段用の側板片２３を位置合わせしつつその下端を嵌入する。
【００２８】
次に、それぞれ側板片２２、２３の棚板支持部２２ａ、２３ａ、２３ｂに、それぞれ対応する棚板３１、３２、３３の凹溝３４を位置合わせして、各棚板３１、３２、３３がそれぞれ水平になるように嵌入させる。このように組み立てに際しては、取付金具は一切用いることなく、段飾り台２１を組み立てることが出来る。その上、各部品を桐で製造したものは、桐そのものの柔らかさ、高級感等の部材の性質により組み立てが容易である。段飾り台２１を組み立て後、図８に示すように、上面を毛氈３８で覆えば良い。
【００２９】
このように構成されているので、例えば、図８に示すように、お雛様を飾り付ける場合には、最上段の飾り段４ａに、内裏様１２とボンボリ１３、二段目のひな台４ｂに三人官女１４、最下段の飾り段４ｃに、例えば、五人囃子１５を飾り付けた場合、この五人囃子１５の背後に、菱台（図示せず）や御膳（図示せず）、重箱１７、御料車１６、お駕籠１８等のお道具を飾り付けることが出来る。
【００３０】
【実施例２】
図１０は、この発明の第２の実施例を示すもので、上記第１の実施例の場合には、最上段の飾り段は、その奥行き幅が中間段の飾り段の奥行き幅より広く形成されているが、この第２の実施例では、最下段の飾り段の奥行き幅も同様に中間段の飾り段の奥行き幅より広くなるように形成されている。
【００３１】
図１０に示すように、脚部兼用の側板片５１の棚板支持部５１ａの奥行き幅は、実施例１に示す棚板支持部２２ａの略２倍の長さに形成されている。一方、最下段の棚板３１の他に、この棚板３１と同じ大きさの第２の棚板３１ａが準備されており、棚板支持部５１ａには、この２枚の棚板３１、３１ａが水平方向の凹凸機構により連結されて載置されている。従って、最上段と同様に、最下段の飾り段には、並列に装飾品を飾ることが出来る。
【００３２】
【実施例３】
図１０に仮想線で示すように、棚板３１、３１ａ及び棚板３３、３３ａにより構成されるそれぞれ最下段及び最上段の飾り段の上に、さらに最上段及び最下段の飾り段の後半分にそれぞれ相当する形状を有する第３の棚板３１ｂ及び３３ｂを積層しても良い。
【００３３】
この場合には、際下段及び最上段の飾り段が、それぞれ棚板３１ｂ、３３ｂの厚み分の段差がつくので、ひな人形の背後に飾り付けられているお道具も前に飾られているひな人形に隠れることもなく、ひな人形のほかに、多くのお道具を飾る付けることが出来る。
【００３４】
なお、この実施例の場合には、二段目の飾り段４ｂの略２倍に形成されている最下段の飾り段４ｃには、ひな人形とお道具とが二列に飾り付けられているが、これに限定されることなく、例えば、針箱とか菱台等のように小さいお道具の場合には、三列に飾り付けることも出来る。
【００３５】
【発明の効果】
請求項１に係わる発明は、一対の側板を階段状に形成するとともに、脚部ささえ棒を介して互いに離間させて配置し、各段に棚板を支持して複数の飾り段を構成し、この各飾り段上に、ひな人形、五月人形等の装飾品を階段状に飾りつけるための段飾り台において、  一対の側板は、少なくとも１段の飾り段を有する側板片に分割し、この各側板片の中で最下段の飾り段を構成する最下段用の棚板を支持する脚部兼用の側板片とし、最上段の飾り段を構成する最上段用の棚板を支持する最上段用の側板片とし、残りの側板片を前記最上段の飾り段と最下段の飾り段との間の中間段の飾り段をそれぞれ構成する中間段用の棚板を支持する中間段用の側板片とし、脚部兼用の側板片と中間段用の側板片と最上段用の側板片とを垂直方向に順次互いに連結する機構を設けるとともに、各棚板の両端部裏面と側板片の棚板支持部とには、この棚板支持部に載置されたそれぞれ対応する棚板を支持する機構を設け、脚部兼用の側板片と脚部ささえ棒とには、脚部兼用の側板片を互いに離間した状態に固定する機構を設け、最下段と最上段の両方の飾り段、あるいは、最下段あるいは最上段のいずれか一方の飾り段は、最下段用あるいは最上段用の棚板の奥行き幅を、装飾品を複数列に飾り付けできるように、中間段用の棚板の奥行き幅より広く形成し、最下段と最上段の飾り段を構成する両方の棚板上に、あるいは、最下段あるいは最上段の飾り段を構成するいずれか一方の棚板上に、この最下段あるいは最上段の飾り段の後半分に相当する形状を有する第３の棚板を積層し、各側板片を垂直方向に連結する機構と、棚板を支持する機構と、側板片と前記ささえ棒とを固定する機構とは、取付金具を用いることなくいずれも段飾り台を構成する互いに係合する部品にそれぞれ設けた組み立て機構により組み立てるようにしたので、従来のように取付金具を準備する必要もなく、又、組み立て方も簡単である。さらに、段飾り台のスペースが少ない場合でも多くの装飾品を飾り付けることが出来る。さらに、飾り段の後半分が少し高くなるので、前面に飾り付けられているひな人形あるいはお道具等の装飾品に邪魔されることなく、後方に飾られている装飾品を充分に鑑賞することが出来る。
【００３６】
請求項２に係る発明は、請求項１に記載の段飾り台において、少なくとも最下段及び最上段の飾り段を構成する複数の棚板は、互いに水平方向の嵌め込みによる凹凸機構により連結したので、請求項１に記載の発明と同様な効果がある。さらに、複数の棚板を連結するための特別な取付金具も必要なく、又、単に２枚の棚板にそれぞれ形成されている凹凸機構を嵌合させて組み立てるので、簡単である。
【００３７】
請求項３に係る発明は、請求項１〜請求項２にそれぞれ記載の段飾り台において、脚部ささえ棒を介して一対の脚部兼用の側板片を互いに離間した状態に固定する機構は、この脚部兼用の側板片の水平方向下端に、脚部ささえ棒の両端部が嵌入する凹型の切欠部を設けるとともに、脚部ささえ棒両端部に、記凹型の切欠部と噛み合う凹溝を設けたので、請求項１〜請求項２に係る発明と同様な効果がある。さらに、簡単な機構で、切欠部に棚板を固定することが出来る。
【００３８】
請求項４に係る発明は、請求項１〜請求項３にそれぞれ記載の段飾り台において、脚部兼用の側板片と中間段用の各側板片と最上段用の側板片とを垂直方向に順次互いに連結する機構は、下方に位置する側板片の上端に、上方に位置する側板片下端の厚さに相当する間隙を介して互いに対向させて一対の連結片を固定してなる連結体を少なくとも１カ所設け、この連結体の間隙に上方に位置する側板片の下端を嵌入させて上下の側板片を互いに連結したので、請求項１〜請求項３に係る発明と同様な効果がある。さらに、釘等の取付金具が一切必要ではなく、その上、組み立てが容易である。
【００３９】
請求項５に係る発明は、請求項１〜請求項４にそれぞれ記載の段飾り台において、それぞれ棚板支持部に載置した棚板を支持する機構は、側板片の棚板支持部に対応する箇所の側板片上端が嵌入する凹溝を棚板の両端部裏面に設けたもので、請求項１〜請求項４に係る発明と同様な効果がある。
【００４０】
請求項６に係る発明は、請求項１〜請求項５にそれぞれ記載の段飾り台において、側板片に設けたそれぞれ対応する棚板を支持する機構は、最下段を構成する側板片を除く各側板片に、少なくとも１箇所のＬ型の切り込みを形成して棚板支持部としたので、請求項１〜請求項５に係る発明と同様な効果がある。
【００４１】
請求項７に係る発明は、請求項１〜請求項５にそれぞれ記載の段飾り台において、最下段を構成する側板片に、少なくとも１箇所のＬ型の切り込みを形成して棚板支持部とし、棚板の両端部裏面には、棚板支持部の側板片上端が嵌入する凹溝を設けたもので、請求項１〜請求項５に係る発明と同様な効果がある。
【００４２】
請求項８に係る発明は、請求項１〜請求項７にそれぞれ記載の段飾り台において、段飾り台を毛氈で覆うとともに、この毛氈の裏面には、滑り止め用のゴム引き加工したので、請求項１〜請求項５に係る発明と同様な効果がある。さらに、毛氈を段飾り台に固定するための毛氈止めは必要なくなり、それだけ部品点数が少なくなるとともに、飾り付けの手間がかからない。
【００４３】
なお、段飾り台を構成する各部品を、すべて桐で形成するようにした場合には、非常に高級感がある。さらに、段飾り台が非常に軽量となり、運搬に便利であるばかりではなく、畳等に跡形が付くことも少ない。
【図面の簡単な説明】
【図１】  この発明の第１の実施例を示すもので、三段の段飾り台２１の要部側面図である。
【図２】  図１の要部展開斜視図である。
【図３】  この発明の第１の実施例を示すもので、最下段の側板片２２の正面図である。
【図４】  この発明の第１の実施例を示すもので、中間段の側板片２３の正面図である。
【図５】  この発明の第１の実施例を示すもので、最下段と中間段の棚板３１、３２の平面図である。
【図６】  この発明の第１の実施例を示すもので、最上段の棚板３３の平面図である。
【図７】  この発明の第１の実施例を示すもので、脚部ささえ棒２４の平面図である。
【図８】  この発明の実施例を示すもので、三段の段飾り台２１にひな人形やお道具等を飾り付け
た状態を示す要部斜視図である。
【図９】  この発明の実施例を示すもので、組み立てた段飾り台２１を毛氈２８で覆った状態を示
す斜視図である。
【図１０】  この発明の第２及び第３の実施例を示す要部側面図である。
【符号の説明】
２１、５１……段飾り台
２２、２３……側板片
２４……脚部ささえ棒
２５……側板片２２の切欠部
２６……脚部ささえ棒２４の凹溝
２９……連結体
３１、３２、３３……棚板
３１ａ、３３ａ……第２の棚板
３１ｂ、３３ｂ……第３の棚板
３８……毛氈
【図１】
0004037103.tif 000002
【図２】
0004037103.tif 000003
【図３】
0004037103.tif 000004
【図４】
0004037103.tif 000005
【図５】
0004037103.tif 000006
【図６】
0004037103.tif 000007
【図７】
0004037103.tif 000008
【図８】
0004037103.tif 000009
【図９】
0004037103.tif 000010
【図１０】
0004037103.tif 000011